(57)【要約】【課題】現在のズーム位置を最大倍率位置に即時に移動できる撮像装置を提供することを目的とする。【解決手段】被写体像の画像データを生成する撮像手段（１０１、１０２、１０３）と、前記被写体像を光学的に拡大する光学ズーム手段（１０６ａ、１０９）と、前記画像データを電子的に拡大する電子ズーム手段（１０６ａ、１０６ｂ）と、現在のズーム位置を即時に移動する即時移動手段（１０６ａ、１１０）と、を有し、前記電子ズーム手段は、前記光学ズーム手段の最大倍率以上の倍率において動作し、前記即時移動手段は、前記現在のズーム位置が前記光学ズーム手段の動作範囲にあるときは、前記現在のズーム位置を前記光学ズーム手段の最大倍率位置に即時に移動し、前記現在のズーム位置が前記電子ズーム手段の動作範囲にあるときは、前記現在のズーム位置を前記電子ズーム手段の最大倍率位置に即時に移動する、ことを特徴とする。【選択図】図１
2008182628.tif 000002
【特許請求の範囲】
【請求項１】
被写体像の画像データを生成する撮像手段と、
前記被写体像を光学的に拡大する光学ズーム手段と、
前記画像データを電子的に拡大する電子ズーム手段と、
現在のズーム位置を即時に移動する即時移動手段と、
を有し、
前記電子ズーム手段は、前記光学ズーム手段の最大倍率以上の倍率において動作し、
前記即時移動手段は、前記即時移動手段が操作された場合に、
前記現在のズーム位置が前記光学ズーム手段の動作範囲にあるときは、前記現在のズーム位置を前記光学ズーム手段の最大倍率位置に即時に移動し、
前記現在のズーム位置が前記電子ズーム手段の動作範囲にあるときは、前記現在のズーム位置を前記電子ズーム手段の最大倍率位置に即時に移動する、
ことを特徴とする撮像装置。
【請求項２】
前記即時移動手段は、前記即時移動手段が操作された場合に、
前記現在のズーム位置が前記光学ズーム手段の最大倍率位置にあるときは、前記現在のズーム位置を前記電子ズーム手段の最大倍率位置に即時に移動する、
ことを特徴とする請求項１に記載の撮像装置。
【請求項３】
前記即時移動手段は、前記即時移動手段が操作された場合に、
前記現在のズーム位置が前記電子ズーム手段の最大倍率位置にあるときは、前記現在のズーム位置を前記光学ズーム手段の最小倍率位置に即時に移動する、
ことを特徴とする請求項１または２に記載の撮像装置。
【請求項４】
被写体像の画像データを生成する撮像手段と、
前記被写体像を光学的に拡大する光学ズーム手段と、
前記画像データを電子的に拡大する電子ズーム手段と、
現在のズーム位置を即時に移動する即時移動手段と、
を有し、
前記電子ズーム手段は、前記光学ズーム手段の最大倍率以上の倍率において動作し、
前記即時移動手段は、前記即時移動手段が操作された場合に、
前記現在のズーム位置を前記電子ズーム手段の最大倍率位置に即時に移動する、
ことを特徴とする撮像装置。
【請求項５】
前記即時移動手段は、前記即時移動手段が操作された場合に、
前記現在のズーム位置が前記電子ズーム手段の最大倍率位置にあるときは、前記現在のズーム位置を前記光学ズーム手段の最小倍率位置に即時に移動する、
ことを特徴とする請求項４に記載の撮像装置。
【発明の詳細な説明】
【技術分野】
【０００１】
本発明は、光学ズーム手段と電子ズーム手段とを有する撮像装置に関し、特に現在のズーム位置を即時に移動できる撮像装置に関する。
【背景技術】
【０００２】
近年、小型デジタルカメラにおいても、高倍率化の要望が高まっている。高倍率化は、光学ズーム手段と電子ズーム手段と両者の併用のいずれかで達成される。光学ズーム手段は、光学系内のズームレンズを移動させることで、撮像素子に結像する被写体像の大きさを変化させる。電子ズーム手段は、撮像手段が生成する画像データの一部の領域を切り出すことで、被写体像の大きさが変化したのと同等の効果を得る。
【０００３】
電子ズーム手段を使用して得られた画像データの画質は光学ズーム手段を使用して得られた画像データの画質に比べて劣るので、光学ズーム手段の最大倍率までは光学ズーム手段を使用し、光学ズーム手段の最大倍率以上の倍率で電子ズーム手段を使用するデジタルカメラが存在する。また、画質の劣化を伴わない高倍率化を行うことができる撮像装置が特許文献１に開示されている。
【特許文献１】特開２００４−３５６７４８号公報
【発明の開示】
【発明が解決しようとする課題】
【０００４】
しかし、光学ズーム手段においても電子ズーム手段においても、現在のズーム位置を移動させるためには、ズームレバーなどの継続移動手段を操作しなければならなかった。そのため、遠方の被写体を即時に撮影したい場合においてもズームレバーなどの継続移動手段を所定時間操作しなければならないので、撮影機会を逃すときがあるという課題があった。
【０００５】
本発明は上記課題を解決し、現在のズーム位置を最大倍率位置に即時に移動できる撮像装置を提供することを目的とする。
【課題を解決するための手段】
【０００６】
上記課題を解決するために本発明の撮像装置は、被写体像の画像データを生成する撮像手段と、前記被写体像を光学的に拡大する光学ズーム手段と、前記画像データを電子的に拡大する電子ズーム手段と、現在のズーム位置を即時に移動する即時移動手段と、を有し、前記電子ズーム手段は、前記光学ズーム手段の最大倍率以上の倍率において動作し、前記即時移動手段は、前記即時移動手段が操作された場合に、前記現在のズーム位置が前記光学ズーム手段の動作範囲にあるときは、前記現在のズーム位置を前記光学ズーム手段の最大倍率位置に即時に移動し、前記現在のズーム位置が前記電子ズーム手段の動作範囲にあるときは、前記現在のズーム位置を前記電子ズーム手段の最大倍率位置に即時に移動する、ことを特徴とする。
【０００７】
これによって、現在のズーム位置が光学ズーム手段の動作範囲にあるときは、現在のズーム位置を光学ズーム手段の最大倍率位置まで即時に移動させることができるので、遠方の被写体を即時に撮影したい場合においても撮影機会を逃すことがない。同様に、現在のズーム位置が電子ズーム手段の動作範囲にあるときは、現在のズーム位置を電子ズーム手段の最大倍率位置まで即時に移動させることができるので、さらに遠方の被写体を即時に撮影したい場合においても撮影機会を逃すことがない。
【０００８】
また、本発明の撮像装置の前記即時移動手段は、前記即時移動手段が操作された場合に、  前記現在のズーム位置が前記光学ズーム手段の最大倍率位置にあるときは、前記現在のズーム位置を前記電子ズーム手段の最大倍率位置に即時に移動する、ことを特徴としてもよい。
【０００９】
また、本発明の撮像装置の前記即時移動手段は、前記即時移動手段が操作された場合に、  前記現在のズーム位置が前記電子ズーム手段の最大倍率位置にあるときは、前記現在のズーム位置を前記光学ズーム手段の最小倍率位置に即時に移動する、ことを特徴としてもよい。
【００１０】
また、本発明の撮像装置は、被写体像の画像データを生成する撮像手段と、前記被写体像を光学的に拡大する光学ズーム手段と、前記画像データを電子的に拡大する電子ズーム手段と、現在のズーム位置を即時に移動する即時移動手段と、を有し、前記電子ズーム手段は、前記光学ズーム手段の最大倍率以上の倍率において動作し、前記即時移動手段は、前記即時移動手段が操作された場合に、前記現在のズーム位置を前記電子ズーム手段の最大倍率位置に即時に移動する、ことを特徴としてもよい。
【００１１】
これによって、電子ズーム手段を使用して得られた画像データの画質を許容できる場合は、現在のズーム位置を本発明の撮像装置の最大倍率位置に即時に移動させることができるので、より遠方の被写体を即時に撮影したい場合においても撮影機会を逃すことがない。
【００１２】
また、本発明の撮像装置の前記即時移動手段は、前記即時移動手段が操作された場合に、  前記現在のズーム位置が前記電子ズーム手段の最大倍率位置にあるときは、前記現在のズーム位置を前記光学ズーム手段の最小倍率位置に即時に移動する、ことを特徴としてもよい。
【発明の効果】
【００１３】
以上のように、本発明によれば、現在のズーム位置を最大倍率位置に即時に移動させることができるので、遠方の被写体を即時に撮影したい場合においても撮影機会を逃すことがないという効果を奏する。
【００１４】
また、本発明によれば、現在のズーム位置が電子ズーム手段の最大倍率位置にあるときは、現在のズーム位置を光学ズーム手段の最小倍率位置に即時に移動させることができるので、遠方の被写体を撮影した後に近くの被写体を即時に撮影したい場合においても撮影機会を逃すことがないという効果を奏する。
【発明を実施するための最良の形態】
【００１５】
（実施の形態１）
（１．構成）
図１は、本発明の実施例であるデジタルカメラの構成を示すブロック図である。光学系１０１は、被写体像をＣＣＤ１０２に結像する。光学系１０１は、複数のレンズ群で構成されており、光軸１０１ｂ方向に移動するズームレンズ１０１ａを含む。
【００１６】
ＣＣＤ１０２は、被写体像の画像信号を出力する。ＡＦＥ（Ａｎａｌｏｇ  Ｆｒｏｎｔ  Ｅｎｄ）１０３は、アナログ信号である画像信号をデジタル信号である画像データに変換する。画像データは、バス１０４を経由してＳＤＲＡＭ１０５に格納される。
【００１７】
ＡＦＥ１０３は、画像信号のノイズ成分を除去するＣＤＳ（Ｃｏｒｒｅｌａｔｅｄ  Ｄｏｕｂｌｅ  Ｓａｍｐｌｉｎｇ）回路、画像信号の大きさを調整するＡＧＣ（Ａｕｔｏｍａｔｉｃ  Ｇａｉｎ  Ｃｏｎｔｒｏｌ）アンプ、アナログ信号である画像信号をデジタル信号である画像データに変換するＡ／Ｄコンバータ（いずれも図示せず）などを含むＬＳＩである。
【００１８】
光学系１０１とＣＣＤ１０２とＡＦＥ１０３は、本発明の撮像手段を構成する。
【００１９】
信号処理ＬＳＩ１０６は、ＣＰＵ１０６ａ、信号処理部１０６ｂなどを含むＬＳＩである。ＣＰＵ１０６ａは、デジタルカメラ全体の制御を行う。信号処理部１０６ｂは、画像データをＬＣＤ１０７での表示に適した表示データに変換する。表示データは、ＬＣＤ１０７に出力される。表示データは、１秒間に３０回更新されるので、被写体像を動画として視認することができる。
【００２０】
ＣＰＵ１０６ａは、ズームレバー１０８の操作を検知する。現在のズーム位置が光学ズーム手段の動作範囲にあるときは、レンズ駆動回路１０９を動作させる。レンズ駆動回路１０９は、ズームレンズ１０１ａを光軸方向１０１ｂに移動させるので、ＣＣＤ１０２に結像した被写体像の大きさを連続的に変化させることができる。また、現在のズーム位置が電子ズーム手段の動作範囲にあるときは、切り出す画像データの領域を信号処理部１０６ｂに指示するので、切り出す画像データの領域を連続的に変化させることができる。
【００２１】
ズームレバー１０８の操作によって、現在のズーム位置を光学ズーム手段の動作範囲から電子ズーム手段の動作範囲まで連続的に移動させることができる。
【００２２】
ＣＰＵ１０６ａは、ズーム釦１１０の操作を検知する。現在のズーム位置が光学ズーム手段の動作範囲にあるときは、レンズ駆動回路１０９を動作させる。レンズ駆動回路１０９は、ズームレンズ１０１ａを光学ズーム手段の最大倍率位置に即時に移動させる。また、現在のズーム位置が電子ズーム手段の動作範囲にあるときは、切り出す画像データの領域を信号処理部１０６ｂに指示する。信号処理部１０６ｂは、切り出す画像データの領域を電子ズーム手段の最大倍率位置に相当する領域に即時に変更する。
【００２３】
ＣＰＵ１０６ａとレンズ駆動回路１０９は、本発明の光学ズーム手段を構成する。ＣＰＵ１０６ａと信号処理部１０６ｂは、本発明の電子ズーム手段を構成する。ＣＰＵ１０６ａとズーム釦１１０は、本発明の即時移動手段を構成する。
【００２４】
以上のようにして、画角が決定される。ＣＰＵ１０６ａは、シャッタ釦１１１の操作を検知する。シャッタ釦１１１が操作されると、所定の露光条件によって得られた画像データが、ＳＤＲＡＭ１０５に格納される。信号処理部１０６ｂは、画像データを記録に適した記録データに変換する。記録データは、メモリカード１１２に記録される。
【００２５】
図２は、本発明の実施例であるデジタルカメラの外観図である。図２（ａ）は正面図、図２（ｂ）は背面図、図２（ｃ）は上面図である。正面には、光学系１０１の他に、オートフォーカス補助光照射部２０１とストロボ発光部２０２が存在する。背面には、ＬＣＤ１０７の他に、デジタルカメラの各種モードを決定するモードダイアル２０３と各種設定を行う操作部２０４が存在する。
【００２６】
上面には、ズームレバー１０８とズーム釦１１０とシャッタ釦１１１の他に、電源スイッチ２０５が存在する。ズームレバー１０８は、シャッタ釦１１１の周囲に回転可能に配されている。ズームレバー１０８をＷ側に回転保持すると、現在のズーム位置が最小倍率位置に向かって移動する。ズームレバー１０８をＴ側に回転保持すると、現在のズーム位置が最大倍率位置に向かって移動する。ズームレバー１０８は、回転保持を解除するとＷ側とＴ側の中心位置に戻るように付勢されている。
（２．動作）
図３は、本発明の第一の実施例であるデジタルカメラの動作イメージ図である。図３（ａ）は、光学ズーム手段の動作範囲と電子ズーム手段の動作範囲の関係を示すイメージ図である。光学ズーム手段の最大倍率までは光学ズーム手段を使用し、光学ズーム手段の最大倍率以上の倍率で電子ズーム手段を使用する。
【００２７】
図３（ｂ）は、現在のズーム位置が光学ズーム手段の最小倍率位置にあるときの動作イメージ図である。デジタルカメラの電源投入直後は、現在のズーム位置は、光学ズーム手段の最小倍率位置にある。この状態でズーム釦１１０が操作されると、現在のズーム位置は、光学ズーム手段の最大倍率位置に即時に移動する。次にズーム釦１１０が操作されると、電子ズーム手段の最大倍率位置に即時に移動する。さらにズーム釦１１０が操作されると、光学ズーム手段の最小倍率位置に即時に移動する。
【００２８】
図３（ｃ）は、現在のズーム位置が光学ズーム手段の動作範囲にあるときの動作イメージ図である。デジタルカメラの電源投入後にズームレバー１０８をＴ側に回転保持すると、現在のズーム位置が光学ズーム手段の動作範囲に移動する。この状態でズーム釦１１０が操作されると、現在のズーム位置は、光学ズーム手段の最大倍率位置に即時に移動する。次にズーム釦１１０が操作されると、電子ズーム手段の最大倍率位置に即時に移動する。さらにズーム釦１１０が操作されると、光学ズーム手段の最小倍率位置に即時に移動する。
【００２９】
図３（ｄ）は、現在のズーム位置が光学ズーム手段の最大倍率位置にあるときの動作イメージ図である。デジタルカメラの電源投入後にズームレバー１０８をＴ側に所定時間回転保持すると、現在のズーム位置が光学ズーム手段の最大倍率位置に移動する。また、図３（ｂ）の一回目のズーム釦１１０操作または図３（ｃ）の一回目のズーム釦１１０操作によっても、現在のズーム位置が光学ズーム手段の最大倍率位置に移動する。
【００３０】
この状態でズーム釦１１０が操作されると、現在のズーム位置は、電子ズーム手段の最大倍率位置に即時に移動する。次にズーム釦１１０が操作されると、光学ズーム手段の最小倍率位置に即時に移動する。
【００３１】
図３（ｅ）は、現在のズーム位置が電子ズーム手段の動作範囲にあるときの動作イメージ図である。デジタルカメラの電源投入後にズームレバー１０８をＴ側に光学ズーム手段の動作範囲を超えて回転保持すると、現在のズーム位置が電子ズーム手段の動作範囲に移動する。また、図３（ｂ）の一回目のズーム釦１１０操作または図３（ｃ）の一回目のズーム釦１１０操作の後にズームレバー１０８をＴ側に回転保持することによっても、現在のズーム位置が電子ズーム手段の動作範囲に移動する。
【００３２】
この状態でズーム釦１１０が操作されると、現在のズーム位置は、電子ズーム手段の最大倍率位置に即時に移動する。次にズーム釦１１０が操作されると、光学ズーム手段の最小倍率位置に即時に移動する。
【００３３】
図３（ｆ）は、現在のズーム位置が電子ズーム手段の最大倍率位置にあるときの動作イメージ図である。デジタルカメラの電源投入後にズームレバー１０８をＴ側に光学ズーム手段の動作範囲を超えて所定時間回転保持すると、現在のズーム位置が電子ズーム手段の最大倍率位置に移動する。また、図３（ｂ）の二回目のズーム釦１１０操作または図３（ｃ）の二回目のズーム釦１１０操作または図３（ｄ）の一回目のズーム釦１１０操作または図３（ｅ）の一回目のズーム釦１１０操作によっても、現在のズーム位置が電子ズーム手段の最大倍率位置に移動する。
【００３４】
この状態でズーム釦１１０が操作されると、現在のズーム位置は、光学ズーム手段の最小倍率位置に即時に移動する。
（実施の形態２）
（１．動作）
図４は、本発明の第二の実施例であるデジタルカメラの動作イメージ図である。第二の実施例であるデジタルカメラの構成は、第一の実施例であるデジタルカメラの構成と同じであるので、説明を省略する。また、図４（ａ）に示す光学ズーム手段の動作範囲と電子ズーム手段の動作範囲の関係を示すイメージ図は、図３（ａ）と同じであるので、説明を省略する。
【００３５】
第二の実施例であるデジタルカメラでは、現在のズーム位置が光学ズーム手段の最小倍率位置にあるときと現在のズーム位置が光学ズーム手段の動作範囲にあるときにズーム釦１１０が操作されると、現在のズーム位置を即時に電子ズーム手段の最大倍率位置に移動する点で、第一の実施例であるデジタルカメラと相違する。
【００３６】
図４（ｂ）は、現在のズーム位置が光学ズーム手段の最小倍率位置にあるときの動作イメージ図である。デジタルカメラの電源投入直後は、現在のズーム位置は、光学ズーム手段の最小倍率位置にある。この状態でズーム釦１１０が操作されると、現在のズーム位置は、電子ズーム手段の最大倍率位置に即時に移動する。次にズーム釦１１０が操作されると、光学ズーム手段の最小倍率位置に即時に移動する。
【００３７】
図４（ｃ）は、現在のズーム位置が光学ズーム手段の動作範囲にあるときの動作イメージ図である。デジタルカメラの電源投入後にズームレバー１０８をＴ側に回転保持すると、現在のズーム位置が光学ズーム手段の動作範囲に移動する。この状態でズーム釦１１０が操作されると、現在のズーム位置は、電子ズーム手段の最大倍率位置に即時に移動する。さらにズーム釦１１０が操作されると、光学ズーム手段の最小倍率位置に即時に移動する。
【００３８】
図４（ｄ）、図４（ｅ）、図４（ｆ）は、それぞれ図３（ｄ）、図３（ｅ）、図３（ｆ）と同じであるので、説明を省略する。
（その他の実施の形態）
ズームレバー１０８による現在のズーム位置の移動とズーム釦１１０による現在のズーム位置の移動は、組み合わせて使用してもよい。
【００３９】
操作部２０４によって、電子ズーム手段の使用が禁止されている場合は、電子ズーム手段の最大倍率位置への移動をしないようにしてもよい。現在のズーム位置が光学ズーム手段の最大倍率位置にあるときにズーム釦１１０が操作されたときは、現在のズーム位置を電子ズーム手段の最大倍率位置ではなく、光学ズーム手段の最小倍率位置に即時に移動する。
【００４０】
操作部２０４によって、電子ズーム手段の最大倍率が規制されている場合は、現在のズーム位置を許容されている電子ズーム手段の最大倍率位置に即時に移動するようにしてもよい。
【００４１】
モードダイアル２０３でモードが決定されている場合は、現在のズーム位置を決定されたモードで許容されている最大倍率位置に即時に移動するようにしてもよい。
【００４２】
ズーム釦１１０は、誤操作による突然の倍率変更を避けるため、操作部２０４で所定の設定がなされた場合にのみ動作するようにしてもよい。
【産業上の利用可能性】
【００４３】
本発明によれば、遠方の被写体を即時に撮影したい場合においても撮影機会を逃すことがないという効果を奏するので、デジタルカメラ、ビデオカメラ、カメラ付き携帯電話などの撮像装置に適用して有用である。
【図面の簡単な説明】
【００４４】
【図１】本発明の実施例であるデジタルカメラの構成を示すブロック図
【図２】本発明の実施例であるデジタルカメラの外観図
【図３】本発明の第一の実施例であるデジタルカメラの動作イメージ図
【図４】本発明の第二の実施例であるデジタルカメラの動作イメージ図
【符号の説明】
【００４５】
１０１    光学系
１０１ａ    ズームレンズ
１０１ｂ    光軸
１０２    ＣＣＤ
１０３    ＡＦＥ
１０４    バス
１０５    ＳＤＲＡＭ
１０６    信号処理ＬＳＩ
１０６ａ    ＣＰＵ
１０６ｂ    信号処理部
１０７    ＬＣＤ
１０８    ズームレバー
１０９    レンズ駆動回路
１１０    ズーム釦
１１１    シャッタ釦
１１２    メモリカード
【図１】
2008182628.tif 000003
【図２】
2008182628.tif 000004
【図３】
2008182628.tif 000005
【図４】
2008182628.tif 000006